(57)【特許請求の範囲】
【請求項１】
汚物を受けるボウル部と、このボウル部の下方より上昇する上昇管路およびこの上昇管路の端部から下降する下降管路からなる排水路と、を備え、前記下降管路の上部側方には、前記排水路と外部を連通する連通孔が設けられ、この連通孔に前記排水路に連通した状態で前記排水路の側壁から突出する筒状の掃除口が固定されている水洗大便器において、
前記連通孔に前記掃除口が挿入されている状態で、
前記排水路内に位置する前記掃除口の外周に設けられた第１挟着用部材と、
前記側壁から外部へ突出した前記掃除口の外周面に設けられたねじ山に螺合可能なねじ山を有し、前記突出した掃除口の一端側から他端側へ移動可能に前記掃除口に螺合された第２挟着用部材とで、
前記側壁と、
前記第１挟着用部材と前記側壁との間に挟着され、外周が傾斜しておりその傾斜した外周面が前記連通孔の内側周縁に当接するパッキンと、
前記第２挟着用部材と前記側壁との間に挟着され、前記排水路内の汚水が外部へ漏れないよう前記側壁および前記掃除口に水密に密着可能な密着部を有する弾性部材と、
が挟み込まれた状態で、前記掃除口が前記連通孔に挟着固定されていることを特徴とする水洗大便器。
【請求項２】
前記弾性部材は、環状の基部と、前記基部の上面および内周面のそれぞれに周状に立設され、その先端部分に前記密着部を形成するリブと、を有し、
前記リブの断面は、前記側壁もしくは前記掃除口に近いほど幅が小さいことを特徴とする請求項１に記載の水洗大便器。
【発明の詳細な説明】
【技術分野】
【０００１】
本発明は、水洗大便器に係り、特に掃除口を有する水洗大便器に関する発明である。
【背景技術】
【０００２】
従来より、排水路内に異物が詰まった際に、便器を取り外すことなくその異物を除去するために排水路に連通する掃除口を設けた水洗大便器が知られている。その一例として、特許文献１に開示された水洗大便器が挙げられる。特許文献１に開示された水洗大便器は、排水路に連通する状態で後方に突出させて設けた短い円筒状をなす掃除口を有しており、この円筒状の掃除口は便器と一体に陶器にて形成されている。このように掃除口を突設することにより、点検時等に掃除口より流出する排水路内の汚水を受ける容器を配置するための空間を掃除口下方に確保することができる。なお、掃除口の先端には、掃除口蓋を密着させる固定フランジが一体に形成されており、掃除口蓋は複数のボルトとナットによってその固定フランジに固定される。
【０００３】
通常、上記構成の水洗大便器は、便器本体の形状に成形された泥漿に、この便器本体とは別途に成形された円筒状の泥漿および肉薄の円環状の泥漿を接着した後、焼成され製造される。
【先行技術文献】
【特許文献】
【０００４】
【特許文献１】特開２００２−３０２９８７号公報
【発明の概要】
【発明が解決しようとする課題】
【０００５】
ところが、そのように円筒状の掃除口が一体に形成された水洗大便器は、その製造工程において、便器本体の形状に成形された泥漿や、これに接着される各泥漿のそれぞれの形状、大きさ、含有水分量等の違いに起因して生じる乾燥度合いの差から、焼成時にそれらの接着面に亀裂が入りやすく、歩留まりが悪いという問題があった。
【０００６】
この問題を解決するために、焼成後の水洗大便器に円筒状の掃除口を別途取り付ける方法が考えられる。その一例として、焼成後の便器本体の排水路と連通する連通孔に円筒状の部材を挿入し、これを便器本体に固定する方法が挙げられる。しかし、この方法では、陶器製の便器本体の焼成時の収縮率のばらつきに起因して生じる陶器の表面粗さから、円筒状の部材を便器本体に固定する際、様々な部分に排水路と外部を連通する隙間を生じてしまい、汚水が漏出しやすくなるという恐れがある。
【０００７】
本発明は、上記問題を解決するためになされたものであり、排水路に連通した状態で水洗大便器側壁から突出する筒状の掃除口を陶器製の水洗大便器に固定する掃除口の固定構造において、高い水密性を有する掃除口の固定構造を提供することを目的とする。
【課題を解決するための手段】
【０００８】
本発明に係る掃除口の固定構造を備えた水洗大便器は、汚物を受けるボウル部と、このボウル部の下方より上昇する上昇管路およびこの上昇管路の端部から下降する下降管路からなる排水路と、を備え、下降管路の上部側方には、排水路と外部を連通する連通孔が設けられ、この連通孔に排水路に連通した状態で排水路の側壁から突出する筒状の掃除口が固定されている水洗大便器において、連通孔に掃除口が挿入されている状態で、排水路内に位置する掃除口の外周に設けられた第１挟着用部材と、側壁から外部へ突出した掃除口の外周面に設けられたねじ山に螺合可能なねじ山を有し、突出した掃除口の一端側から他端側へ移動可能に掃除口に螺合された第２挟着用部材とで、側壁と、第１挟着用部材と側壁との間に挟着され、外周が傾斜しておりその傾斜した外周面が連通孔の内側周縁に当接するパッキンと、第２挟着用部材と側壁との間に挟着され、排水路内の汚水が外部へ漏れないよう側壁および掃除口に水密に密着可能な密着部を有する弾性部材と、が挟み込まれた状態で、掃除口が連通孔に挟着固定されていることを特徴とする。
【０００９】
このように構成された本発明においては、水洗大便器側面から外部へ突出した掃除口の一端側から他端側へ移動可能に螺合された第２挟着用部材の移動量を調節することにより、第１挟着用部材と第２挟着用部材とで弾性部材を挟み込む力を調節することができる。これにより、その弾性部材が有する水洗大便器の側壁に水密に密着可能な密着部に作用する圧力の調節が可能となる。特に第２挟着用部材は螺合に基づいて移動することから、段階的な調節ではなく、連続的な調節が可能であるため、例え各部の収縮誤差に起因して表面に凹凸が生じやすい陶器の表面であっても、その表面と弾性部材との間に、外部へ汚水を漏出させる隙間が生じないよう、適した圧力を弾性部材に作用させることができる。また、パッキンの傾斜した外周面によって、掃除口の軸心が、連通孔の中心軸に一致するように誘導されるため、掃除口が側壁の表面に対して傾いた状態で固定されることを防止することができる。さらに、弾性部材は、掃除口に水密に密着可能な密着部を有しているため、掃除口と弾性部材の間から汚水が漏れることを防止することができる。したがって、焼成後の水洗大便器に筒状の掃除口を固定する場合であっても、高い水密性を実現することができる。
【００１０】
本発明は、好ましくは、弾性部材は、環状の基部と、基部の上面および内周面のそれぞれに周状に立設され、その先端部分に密着部を形成するリブと、を有し、リブの断面が、側壁もしくは掃除口に近いほど幅が小さくなるよう構成されている。
【００１１】
このように構成された本発明においては、密着部を有するリブの断面が、水洗大便器側壁もしくは掃除口に近いほど小さくなるよう形成されているため、その側壁もしくは掃除口に近い密着部ほど水洗大便器側壁もしくは掃除口との密着面積が小さく、その分大きな圧力を受けやすいことから、密着部が変形しやすくなる。したがって、表面に凹凸を生じやすい陶器の表面や掃除口に対しても、この密着部の変形のしやすさによって、より密着部が陶器もしくは掃除口表面に密着しやすくなるため、より確実に高い水密性を実現することができる。
【発明の効果】
【００１２】
本発明の掃除口の固定構造によれば、排水路に連通した状態で水洗大便器側壁から突出する筒状の掃除口を陶器製の水洗大便器に固定する場合であっても、特に高い水密性を実現することができる。
【図面の簡単な説明】
【００１３】
【図１】掃除口が固定される前の水洗大便器の縦断面図。
【図２】本発明の第１実施形態に係る掃除口の固定構造を有する水洗大便器の背面図。
【図３】本発明の第１実施形態に係る掃除口の固定構造部の断面図。
【図４】本発明の第１実施形態に係る掃除口の固定構造部の分解図。
【図５】本発明の第１実施形態におけるリブ付パッキンの平面図。
【図６】本発明の第１実施形態におけるリブ断面の拡大図。
【図７】本発明の第１実施形態における掃除口の閉塞構造部の分解図。
【図８】本発明の第２実施形態に係る掃除口の固定構造部の断面図。
【図９】本発明の第２実施形態に係る掃除口の固定構造部の分解図。
【発明を実施するための形態】
【００１４】
以下、図面に基づいて本発明の実施の形態について説明する。
【００１５】
図１は、掃除口が固定される前の水洗大便器の縦断面図である。図１に示すように、水洗大便器２は、汚物を受けるボウル部８およびボウル部８の下方に接続された排水管路４（排水路）を有しており、排水管路４は、ボウル部８下方より上昇する上昇管路１０と、上昇管路１０の端部から下降する下降管路１２からなっている。そして、下降管路１２の上部側方には、排水路と外部を連通する連通孔６が設けられている。
【００１６】
図２は、本発明の第１実施形態に係る掃除口の固定構造を有する水洗大便器の背面図であり、図３は掃除口の固定構造部の断面図である。また、図４は、この掃除口の固定構造部の分解図である。
【００１７】
本実施形態の掃除口の固定構造は、図４に示す各部材を組み合わせたものであるため、これら一つ一つの部材について説明していく。
【００１８】
１４は、一端にフランジ１４ａ（第１挟着用部材）を有する円筒部材（特許請求の範囲における掃除口に相当）であって、その外周には、フランジ１４ａが設けられていない方の一端側より所定の距離に亘って雄ねじ１４ｂが形成されている。なお、この円筒部材１４はステンレス鋼からなるものである。１６は、断面形状が台形をなすパッキンであり、図３に示すように、外周面が傾斜した形状となっている。１８は、図５に示すように、環状の基部１８ａの上面および内周面のそれぞれにリブ１８ｂ、１８ｃが周状に立設された、水密性及び弾性が高いゴム等の弾性素材からなるリブ付パッキン（弾性部材）である。２０はリブ付パッキン１８を収容するワッシャーであり、２２および２４は、円筒部材１４に形成されている雄ねじ１４ｂに螺合する雌ねじを内周面に有する六角ナットである。
【００１９】
次に、図４の各部材の取り付け手順について説明する。まず、円筒部材１４の雄ねじ１４ｂが形成された一端側から、パッキン１６を、その外径がフランジ１４ａ側に拡径する向きに嵌め込む。そして、この円筒部材１４を、水洗大便器２の底部から下降管路１２を通して、雄ねじ１４ｂが形成された一端側から連通孔６に挿入する。このとき、パッキンの傾斜した外周面が、図３に示すように排水管路４側の連通孔６の周縁に当接すると共に、円筒部材１４の一部が、水洗大便器２の側壁２ａの外表面より突出した状態となる。
【００２０】
続いて、リブ付パッキン１８をワッシャー２０の窪み部２０ａに収納し、リブ付パッキン１８のリブ１８ｂが側壁２ａの外表面に当接するよう、ワッシャー２０を側壁２ａから突出している円筒部材１４に嵌め込む。そして、円筒部材１４の先端より、六角ナット２２（第２挟着用部材）の雌ねじ２２ａを円筒部材１４の雄ねじに螺合させ、この六角ナット２２を締めていく。これにより、円筒部材１４のフランジ１４ａと六角ナット２２とにより、パッキン１６とリブ付パッキン１８を収容したワッシャー２０が水洗大便器２の連通孔６周縁の側壁２ａを挟んで締め付けられるので、円筒部材１４が、水洗大便器２に固定された状態となる。この締め付け時においては、パッキン１６の傾斜した外周面によって、円筒部材１４の軸心が、連通孔６の中心軸に一致するよう誘導されるため、円筒部材１４が、側壁２ａの表面に対して傾いた状態で固定されることはほとんどなく、このときの締め付け力を調節することにより、リブ１８ｂと側壁２ａとの間に作用する圧力の大きさを調節することができる。
【００２１】
最後に、もう一つの六角ナット２４を円筒部材１４の先端より螺合させ、先に取り付けられていた六角ナット２２に締め付ける。これによって、六角ナット２２が振動等の影響を受けて緩むことを防止することができる。
【００２２】
このようにして、円筒部材１４が固定された水洗大便器においては、パッキン１６は、連通孔６周縁とフランジ１４ａとの間にかかる大きな圧力によって、陶器である連通孔６周縁が損傷（例えば、割れなど）しないように、その力を緩衝する機能を果たす。
【００２３】
ここで、上記締め付け時における、リブ付パッキン１８のリブ１８ｂ、１８ｃの挙動について説明する。図６は、リブ１８ｂの断面の拡大図であり、この図に示すように、リブ１８ｂの側壁２ａ表面に密着可能な密着部１８ｄは、断面視において円弧状に形成されているため、側壁２ａに近い程、リブ１８ｂの断面の幅が小さくなる。したがって、側壁２ａに近い程、密着部１８ｄに作用する圧力は大きくなり、その密着部１８ｄは変形しやすい。したがって、リブ１８ｂが密着する対象が、例え焼成時の収縮誤差に起因して表面に凹凸を生じやすい陶器であっても、フランジ１４ａと六角ナット２２とによる上記締め付け力を調節し、リブ１８ｂと側壁２ａとの間に最適な圧力を作用させることによって、リブ１８ｂがその全周に亘って陶器の表面の凹凸になじむよう変形し、リブ１８ｂが側壁２ａに密着する。同様に、もう一方のリブ１８ｃも、先端の断面が円弧状に形成されているため、円筒部材１４に対して高い密着性を有している。このように、リブ１８ｂ、１８ｃがそれぞれ便器表面および円筒部材１４外表面に対して高い密着性を有しているため、排水管路４から、パッキン１６と連通孔６周縁との間に発生している隙間を通過し、便器の外表面側に流出してきた汚水が外部に漏れるのを確実に防止することができ、高い水密性を実現することができる。
【００２４】
なお、この円筒部材１４の雄ねじが形成されている先端には、図７に示すように、内周面に円筒部材１４の雄ねじ１４ａと螺合する雌ねじ３０ｂが形成された蓋体３０の凹部３０ａに、パッキン３２とスリップワッシャー３４を嵌め込み、この蓋体３０を円筒部材１４の先端に螺合することにより、円筒部材１４先端の開口１５の閉塞が可能になっている。この蓋体３０は、いたずらなどによってむやみに円筒部材１４から取り外されないよう、蓋体３０の上面に設けられた凹部（図示省略）に所定の工具を差し込むことによってのみ取り外しできるようになっている。また、この蓋体３０の円筒部材１４への着脱は、所定の工具を用いて蓋体３０を回転させるだけで良いため、点検時等における作業性が非常に良い。なお、この蓋体３０は、排水管路４内部の様子を外部から確認できるよう透明な部材からなることが好ましい。蓋体３０が透明であれば、排水管路４内部で異物が詰まった際に排水管路４内部のいずれの位置において異物の詰まりが生じているのかを蓋体３０を取り外す前に把握することができる。すなわち、異物が詰まった場合、外部より排水管路４内部の様子を確認したときに、排水管路４内部が汚水で満ちている状態であれば下降管路１２もしくは下降管路１２の下端に接続された管路において異物の詰まりが生じており、そうでない場合は上昇管路１０において異物の詰まりが生じていることが分かる。
【００２５】
次に、本発明の掃除口の固定構造に係る第２実施形態について説明する。図８は第２実施形態に係る掃除口の固定構造部の断面図であり、図９は第２実施形態に係る掃除口の固定構造部の分解図である。
【００２６】
第１実施形態と同様、第２実施形態に係る掃除口の固定構造は、図９に示す各部材を組み合わせたものであるため、それら一つ一つの部材について説明していく。
【００２７】
３６は、一端にテーパ状のフランジ３６ａを有する円筒部材であって、このテーパ状フランジ３６ａを除く円筒部材３６の外周には雄ねじ３６ｂが形成されている。なお、テーパ状フランジ３６ａは、その外周の最大直径が水洗大便器２の連通孔６の直径よりも小さくなるよう形成されている。３８は、内周面がテーパ状フランジ３６ａの外周と密着するようなされた傘状のパッキンである。４０はパッキン１８と同様に、環状の基部４０ａの上面および内周面にそれぞれリブ４０ｂ、４０ｃを有するリブ付パッキンである。そして、４２はスリップワッシャーであり、４４は、円筒部材３６の雄ねじ３６ｂに螺合する雌ねじ４４ａが内周面に形成されたフランジ付ナットである。
【００２８】
次に、図９の各部材の取り付け手順について説明する。まず、水洗大便器２の外部から、連通孔６に円筒部材３６を挿入する。この際、テーパ状フランジ３６が設けられた一端側から円筒部材３６を挿入する。そして、水密性及び弾性が高いゴム等の弾性素材からなるパッキン３８を変形させ連通孔６に入れ込んだ後、このパッキン３８を、テーパ状フランジ３６が設けられていない円筒部材３６の一端側から嵌め込む。その後、雄ねじ３６ｂが形成された円筒部材３６が便器外表面より突出するよう、円筒部材３６を外部側に引っ張る。このとき、外周面の一部の直径が連通孔６の直径よりも大きくなるように形成されているパッキンが連通孔６の周縁に当接するため、この円筒部材３６が連通孔６から外部へ抜け出ることはない。
【００２９】
続いて、フランジ付ナット４４の窪み部４４ｂにスリップワッシャー４２およびリブ付パッキン４０を順に収容し、便器外表面より突出した円筒部材３６の先端から、フランジ付ナット４４の雌ねじ４４ａを円筒部材３６の雄ねじ３６ｂに螺合させ、フランジ付ナット４４を締めていく。これにより、円筒部材３６のフランジ３６ａとフランジ付ナット４４とにより、パッキン３８とリブ付パッキン４０およびスリップワッシャー４２が水洗大便器２の連通孔６周縁の側壁２ａを挟んで締め付けられるので、円筒部材３６が水洗大便器２に固定された状態となる。
【００３０】
本実施形態においては、水洗大便器２に円筒部材３６を固定する際、第１実施形態のように円筒部材等を水洗大便器２の底部から回し込む必要がなく、便器外部からの作業のみで済むため、作業性が非常に良い。特に、通常、人が持ち上げることが困難な程の重さを有する陶器製の大便器においてはなおさらである。
【符号の説明】
【００３１】
２…水洗大便器
２ａ…側壁
３、５…掃除口固定構造部
４…排水管路
６…連通孔
８…ボウル部
１０…上昇管路
１２…下降管路
１４、３６…円筒部材
１４ａ…フランジ
１４ｂ、３６ｂ…雄ねじ
１５、１７…開口
１６、３２、３８…パッキン
１８、４０…リブ付パッキン
１８ａ、４０ａ…基部
１８ｂ、１８ｃ、４０ｂ、４０ｃ…リブ
１８ｄ…密着部
２０…ワッシャー
２０ａ…窪み部        
２２、２４…六角ナット
２２ａ、２４ａ、４４ａ…雌ねじ
３４、４２…スリップワッシャー
３０…蓋体
３０ａ…凹部
３６ａ…テーパ状フランジ
４４…フランジ付ナット
４４ｂ…窪み部
【図１】
0005979581.tif 000002
【図２】
0005979581.tif 000003
【図３】
0005979581.tif 000004
【図４】
0005979581.tif 000005
【図５】
0005979581.tif 000006
【図６】
0005979581.tif 000007
【図７】
0005979581.tif 000008
【図８】
0005979581.tif 000009
【図９】
0005979581.tif 000010